(57)【要約】【課題】帯状ワークへの気体の吹き付けを瞬時に停止し、短時間で帯状ワークの昇温速度を下げたり、最終温度を下げたりすることができる帯状ワーク処理設備のシャッター機構を提供する。【解決手段】走行する金属ストリップ２に熱風を吹き付けるノズル４と、ノズルと金属ストリップとの間に、ノズルに対し空隙を空けて配置可能なシャッター５と、シャッターがノズルと金属ストリップとの間を遮る第１位置及びシャッターがノズルと金属ストリップとの間を遮らない第２位置にシャッターを移動させる移動装置７とを有し、移動装置は、シャッターと係合し走行方向に沿って設けられたロッド９を走行方向に移動させる。【選択図】図２
2018053296.tif 000002
【特許請求の範囲】
【請求項１】
走行する帯状ワークに気体を吹き付ける噴射口を備えたノズルと、
前記ノズルと前記帯状ワークとの間に、前記ノズルに対し空隙を空けて配置可能なシャッターと、
前記シャッターが前記ノズルと前記帯状ワークとの間を遮る第１位置及び前記シャッターが前記ノズルと前記帯状ワークとの間を遮らない第２位置に前記シャッターを移動させる移動装置とを有し、
前記移動装置は、前記シャッターと係合し前記走行方向に沿って設けられたロッドを前記走行方向に移動させることを特徴とする帯状ワーク処理設備のシャッター機構。
【請求項２】
前記ノズルは、前記走行方向に互いに間隔を空けて複数設けられており、前記シャッターは、前記ノズル毎に設けられて、個別に移動可能であることを特徴とする請求項１に記載の帯状ワーク処理設備のシャッター機構。
【請求項３】
前記ノズルは、前記帯状ワークの走行方向と交差する幅方向に沿って設けられ、前記ノズルの前記噴射口は、前記ノズルの幅方向に沿ってスリット状に設けられていることを特徴とする請求項１または請求項２に記載の帯状ワーク処理設備のシャッター機構。
【請求項４】
前記走行方向は上下方向であり、前記シャッターは前記第２位置から降下して前記第１位置に移動し、前記第１位置に移動したときに前記シャッターが当接されて前記シャッターの降下を規制するストッパーを有していることを特徴とする請求項１〜３いずれかの項に記載の帯状ワーク処理設備のシャッター機構。
【請求項５】
前記シャッターは、前記ノズルと対向する部位が、前記幅方向において複数の部材に分割されていることを特徴とする請求項１〜４いずれかの項に記載の帯状ワーク処理設備のシャッター機構。
【請求項６】
前記帯状ワークは、熱風式熱処理炉内を走行する金属ストリップであり、前記ノズルが吹き付ける気体は熱風であり、前記金属ストリップには、前記ノズルからの熱風がその全幅に渡って吹き付けられることを特徴とする請求項１〜５いずれかの項に記載の帯状ワーク処理設備のシャッター機構。
【発明の詳細な説明】
【技術分野】
【０００１】
本発明は、帯状ワークへの気体の吹き付けを短時間で停止することが可能な帯状ワーク処理設備のシャッター機構に関する。
【背景技術】
【０００２】
熱処理炉としては、例えば、炉体の内部に熱風吹き付け用のチャンバを備え金属ストリップを搬送させながら熱処理する竪型連続熱処理炉（例えば、特許文献１参照）や、熱風吹き付けにより鋼帯を加熱する竪形乾燥焼付オーブン（例えば、特許文献２参照）や、走行させた鋼帯の両面に熱風を吹き付けて鋼帯を乾燥させる竪型ドライヤ（例えば、特許文献３参照）が知られている。
【０００３】
また、熱風ノズルの噴射口としては、ストリップ材の幅方向に沿って設けられたスリット（例えば、特許文献４参照）や、走行する鋼帯の両端部に指向した小孔状をなす複数の加熱ガス吹き付けノズル（例えば、特許文献５参照）が知られている。
【０００４】
このような熱処理炉により、金属ストリップを走行させながら連続的に熱処理を行う場合には、走行している金属ストリップの終端部に、続けて供給するコイル状に巻かれた金属ストリップの先端を溶接し、継続して熱処理を行うことが行われている。
【先行技術文献】
【特許文献】
【０００５】
【特許文献１】特開平１１−２３６６２４号公報
【特許文献２】特開平６−４３２号公報
【特許文献３】特開平５−２３０６６８号公報
【特許文献４】特開２０１０−１６３６３４号公報
【特許文献５】特開２００１−２９４９４０号公報
【発明の概要】
【発明が解決しようとする課題】
【０００６】
上記のように、熱処理炉に互いに異なるコイルの金属ストリップが溶接等により繋げられて供給される場合には、先に供給される金属ストリップと後に供給される金属ストリップとの厚みが互いに相違する場合がある。この際、走行速度一定の場合、金属ストリップが厚くなると昇温が遅くなり、薄くなると昇温が早くなるため、所望の昇温パターンや最終温度で熱処理ができなくなる。そこで、金属ストリップの厚みに基づいて、熱風の温度を変更し、また、炉内温度そのものも変更する必要がある。このとき、熱風の温度の変更及び炉内温度の変更には長い時間が必要であり、その間に走行した金属ストリップには適切な熱処理が施されていないため、多大な無駄が生じるという課題がある。
【０００７】
また、熱風の配管に設けたダンパー等を用いて一部のノズルの熱風の風量を変更するという方法も考えられるが、例えば、所定のノズルの風量を下げるべくダンパーを閉めると熱風の配管の内圧が上昇し、他のノズルの風量が増える等、コントロールが難しいという課題がある。
【０００８】
本発明は上記従来の課題に鑑みて創案されたものであって、帯状ワークへの気体の吹き付けを短時間で停止することが可能な帯状ワーク処理設備のシャッター機構を提供することを目的とする。
【課題を解決するための手段】
【０００９】
本発明にかかる帯状ワーク処理設備のシャッター機構は、走行する帯状ワークに気体を吹き付ける噴射口を備えたノズルと、前記ノズルと前記帯状ワークとの間に、前記ノズルに対し空隙を空けて配置可能なシャッターと、前記シャッターが前記ノズルと前記帯状ワークとの間を遮る第１位置及び前記シャッターが前記ノズルと前記帯状ワークとの間を遮らない第２位置に前記シャッターを移動させる移動装置とを有し、前記移動装置は、前記シャッターと係合し前記走行方向に沿って設けられたロッドを前記走行方向に移動させることを特徴とする。
【００１０】
前記ノズルは、前記走行方向に互いに間隔を空けて複数設けられており、前記シャッターは、前記ノズル毎に設けられて、個別に移動可能であることを特徴とする。
【００１１】
前記ノズルは、前記帯状ワークの走行方向と交差する幅方向に沿って設けられ、前記ノズルの前記噴射口は、前記ノズルの幅方向に沿ってスリット状に設けられていることを特徴とする。
【００１２】
前記走行方向は上下方向であり、前記シャッターは前記第２位置から降下して前記第１位置に移動し、前記第１位置に移動したときに前記シャッターが当接されて前記シャッターの降下を規制するストッパーを有していることを特徴とする。
【００１３】
前記シャッターは、前記ノズルと対向する部位が、前記幅方向において複数の部材に分割されていることを特徴とする。
【００１４】
前記帯状ワークは、熱風式熱処理炉内を走行する金属ストリップであり、前記ノズルが吹き付ける気体は熱風であり、前記金属ストリップには、前記ノズルからの熱風がその全幅に渡って吹き付けられることを特徴とする。
【発明の効果】
【００１５】
本発明に係る帯状ワーク処理設備のシャッター機構によれば、帯状ワークへの気体の吹き付けを瞬時に停止し、短時間で帯状ワークの昇温速度を下げたり、最終温度を下げたりすることができる。
【図面の簡単な説明】
【００１６】
【図１】本発明にかかる帯状ワーク処理設備のシャッター機構の好適な一実施形態を説明する説明図であって、（Ａ）は正面図、（Ｂ）はロッドの接続部分の拡大断面図である。
【図２】図１に示した帯状ワーク処理設備のシャッター機構の側面図である。
【図３】図１に示した帯状ワーク処理設備のシャッター機構の構成を示す説明図であって、（Ａ）は第１例を示す斜視図、（Ｂ）は第２例を示す要部斜視図である。
【図４】互いに厚みが異なる金属ストリップを連続して熱処理する際のシャッターの動作を示す図である。
【図５】シャッターによる効果を示すグラフである。
【図６】本発明にかかる帯状ワーク処理設備のシャッター機構の変形例を示す正面図である。
【図７】本発明にかかる帯状ワーク処理設備のシャッター機構の他の変形例を示す正面図である。
【発明を実施するための形態】
【００１７】
以下に、本発明にかかる帯状ワーク処理設備のシャッター機構の好適な一実施形態を、添付図面を参照して詳細に説明する。図１、図２に示すように、本実施形態に係る帯状ワーク処理設備のシャッター機構は、走行する帯状ワークに気体、例えば熱風を吹き付けて熱処理する熱風式熱処理炉１に用いられる。以下、本実施形態では、帯状ワークとして金属ストリップを、また気体として熱風を、例示して説明する。しかしながら、処理対象が金属ストリップに限られず、また気体が熱風に限られないことはもちろんである。この熱風式熱処理炉１内では、図示しない駆動装置により走行する金属ストリップ２が上から下に走行する際に、熱風を吹き付けて焼き入れ・焼き鈍し等の熱処理を行うように構成されている。
【００１８】
熱風式熱処理炉１は、上下方向に沿って金属ストリップ２が走行する熱処理領域の上下に配置されたアイドルローラー（下は不図示）３と、熱処理領域における炉壁１ａに設けられ金属ストリップ２に熱風を吹き付けるノズル４と、ノズル４と金属ストリップ２との間を遮ることが可能なシャッター５と、シャッター５を所定の位置に配置するためのストッパー６と、シャッター５を昇降させる移動装置７と、を有している。
【００１９】
ノズル４は、金属ストリップ２の幅方向に沿って形成されたスリット状をなし、複数のノズル４が走行方向、すなわち上下方向に互いに間隔を隔てて設けられている。各ノズル４の下には、炉壁１ａから突出させて、当該ノズル４よりも金属ストリップ２側に張り出すように、シャッター５のストッパー６が設けられている。
【００２０】
複数のノズル４は、走行する金属ストリップ２の両面と各々対向する炉壁１ａにそれぞれ設けられ、互いに対向する位置に配置されている。そして、対向するノズル４からは、同時に熱風が噴射されるように形成されている。このため、対向する位置に配置されたノズル４間を通過する金属ストリップ２には、表裏面から同時に熱風が吹き付けられるため、金属ストリップ２はムラ無く熱処理される。また、走行方向に並ぶノズル４は、互いに熱風を噴射するタイミングを異ならせることが可能である。尚、図２においては、便宜上、金属ストリップ２の左側に位置するシャッター５が、ノズル４と金属ストリップ２との間を遮る第１位置に位置している状態を示し、右側に位置するシャッター５がノズル４と金属ストリップ２との間を遮らない第２位置に位置している状態を並べて図示しているが、図２の左右方向において互いに対向するシャッター５は同じタイミングで移動するように構成されている。
【００２１】
シャッター５は、各ノズル４と対向する位置にノズル４毎に対応させて設けられている。シャッター５は、金属ストリップ２の幅より広いシャッター本体部８と、シャッター本体部８の、幅方向において金属ストリップ２と対向する部位より外側に設けられ、走行方向に沿って設けられる後述するロッド９が挿通されるロッド挿通部１０と、を有している。
【００２２】
シャッター本体部８は、図３に示すように、ノズル４と対向して熱風を遮る板材１１と、板材１１が装着される枠体１２と、を有している。板材１１は、金属ストリップ２の幅方向に複数に分割されて設けられている。本実施形態においては５つに分割されて設けられている。ロッド挿通部１０は、図１，図２，図３（Ａ）では、シャッター本体部８の側面から突出させて取り付けられているが、図３（Ｂ）に示しているように、シャッター本体部８の背面もしくは正面から突出するように取り付けてもよい。
【００２３】
枠体１２は、ノズル４と対向する側に上方から差し込まれる板材１１を各々保持する保持部１３を複数有しており、保持部１３と板材１１の間には、板材１１の熱延びの逃げ代Ｃを有している。保持部１３の、金属ストリップ２側には、金属ストリップ２側に窪ませた凹部１４を有している。凹部１４は、装着される板材１１毎に、当該板材１１と対向する部位に設けられており、枠体１２に板材１１が装着されると、凹部１４と板材１１とにより中空部が形成されるように構成されている。凹部１４や保持部１３は、変形防止のリブとしても機能する。
【００２４】
ロッド挿通部１０は、枠体１２の凹部１４を形成する部位から板材１１と反対側に突出させて枠体１２に一体に設けられた平面視Ｕ字状をなす部位である。Ｕ字の開放端側にて２本の平行をなす平行部１０ａが枠体１２に接合されており、平行部１０ａの突出している先端が半円状の湾曲部１０ｂをなしている。平行部１０ａの間隔は挿通されるロッド９の直径より僅かに広く間隔が隔てられている。
【００２５】
移動装置７は、アイドルローラー３に架け渡されて上から下に走行する金属ストリップ２の上方に設けられた昇降シリンダー１５と、昇降シリンダー１５に設けられ、昇降シリンダー１５により昇降されるロッド９と、を有している。
【００２６】
昇降シリンダー１５は、各シャッター５に対応させて設けられており、ロッド９は、上から下に走行する金属ストリップ２の、幅方向における外側に位置させて、上下方向に沿って設けられている。
【００２７】
ロッド９は、炉壁１ａに設けた断熱摺動シール１７を介して、熱風式熱処理炉１の内部に導入される。また、連結板１８を用いて、１つの昇降シリンダー１５で、２本のロッド９を同時に昇降するようにしている。昇降シリンダー１５は、支柱１９で保持されている。
【００２８】
昇降シリンダー１５に設けられているロッド９には、シャッター５に設けられているロッド挿通部１０と係合する係合部１６が設けられている。係合部１６は、ほぼ円柱状をなしており、円柱の円の中心を、円柱の高さ方向にロッド９が貫通するように構成されている。係合部１６の円の直径は、シャッター５が有するロッド挿通部１０の平行部１０ａの間隔より広く形成されている。
【００２９】
係合部１６には、図１（Ｂ）に示すように、上下に貫通する穴を設けており、その上下からロッド９をねじ込んだり差し込んで溶接したりして接続し、長いロッド９を構成する際のジョイントとしても利用できて、組立性の向上を図っている。
【００３０】
係合部１６は、昇降シリンダー１５によってロッド９が降下した状態において、ストッパー６上に載置され、シャッター５のロッド挿通部１０に挿通されたロッド９の、ロッド挿通部１０よりも下に位置して、ロッド挿通部１０と僅かに間隔が隔てられている。このため、昇降シリンダー１５によってロッド９が上昇すると、ロッド９と一体をなす係合部１６がロッド挿通部１０と係合して、シャッター５が引き上げられる。
【００３１】
また、昇降シリンダー１５によってロッド９が降下されると、係合部１６、及び、係合部１６上に載置されているシャッター５が共に降下する。シャッター５が降下し続けると、シャッター５はストッパー６に当接されて、ストッパー６上に載置された状態で停止する。その後、係合部１６がロッド挿通部１０より僅かに降下した位置で昇降シリンダー１５が停止するように設定されている。
【００３２】
昇降シリンダー１５によってロッド９が降下して、シャッター５がストッパー６上に載置されているときには、シャッター５が、当該シャッター５に対応付けられているノズル４と金属ストリップ２との間を遮る第１位置に配置される。このとき、ノズル４とシャッター５との間には空隙Ｓが設けられており、シャッター５がノズル４を塞がないように配置されている。また、昇降シリンダー１５によってロッド９が上昇したときには、シャッター５が、当該シャッター５に対応付けられているノズル４と金属ストリップ２との間より上方に移動して、ノズル４と金属ストリップ２との間を遮らない第２位置に配置される。
【００３３】
本実施形態の帯状ワーク処理設備のシャッター機構は、金属ストリップ２の昇温速度を早くして熱処理を施す、たとえば、金属ストリップ２が厚い鋼板の場合には、全てのシャッター５を第２位置に移動させ、ノズル４からの熱風を金属ストリップ２に直接吹き付ける。一方、昇温速度を遅くして熱処理を施す、例えば、金属ストリップ２が薄い鋼板の場合には、全てのシャッター５を第１位置に移動させ、ノズル４からの熱風をシャッター５に吹き付けることによりノズル４とシャッター５との空隙Ｓから熱風を熱風式熱処理炉１内に拡散して、炉内温度を維持しながら熱処理を施す。
【００３４】
別の実施様態として、互いに異なる厚みの金属ストリップ２を連続して熱処理する場合には、シャッター５を個別に別々に動かすようにし、先行する金属ストリップ２の厚みに合わせて、全てのシャッター５を第１位置または第２位置に配置して熱処理を施し、後続する金属ストリップ２との境界部分が通過したノズル４に対応付けられているシャッター５を、後続する金属ストリップ２との境界部分の移動に合わせて順次第１位置または第２位置に移動していくというやり方もできる。
【００３５】
より具体的には、例えば、図４に示すように、先行する金属ストリップ２ａの厚みが厚く、後続する金属ストリップ２ｂの厚みが薄い場合には、先行する金属ストリップ２ａがノズル４ａ、４ｂ、４ｃと対向しつつ走行している状態では、全てのシャッター５ａ、５ｂ、５ｃを第２位置に配置して、ノズル４ａ、４ｂ、４ｃからの熱風を先行する金属ストリップ２ａに直接吹き付ける（図４（ａ）参照）。そして、後続する金属ストリップ２ｂとの境界部Ｊが最上のノズル４ａを通過するときに最上のシャッター５ａを第１位置に移動して最上のノズル４ａと後続する金属ストリップ２ｂとの間を遮る（図４（ｂ）参照）。次に、後続する金属ストリップ２ｂとの境界部Ｊが２番目のノズル４ｂを通過するときに２番目のシャッター５ｂを第１位置に移動して２番目のノズル４ｂと後続する金属ストリップ２ｂとの間を遮る（図４（ｃ）参照）。そして、後続する金属ストリップ２ｂとの境界部Ｊが最下のノズル４ｃを通過するときに最下のシャッター５ｃを第１位置に移動して最下のノズル４ｃと後続する金属ストリップ２ｂとの間を遮る（図４（ｄ）参照）ことにより、全てのシャッター５ａ、５ｂ、５ｃを第１位置に配置して、ノズル４ａ、４ｂ、４ｃからの熱風が後続する金属ストリップ２ｂに直接吹き付けられない状態となる。
【００３６】
この場合の構造が、変形例として図６及び図７に示されている。すなわち、図６に示したように、昇降シリンダー１５、断熱摺動シール１７、連結板１８、並びにロッド９からなる昇降機構を複数設けて、別々に作動させたり、あるいは、図７に示したように、係合部１６の位置をずらした（図中、寸法Ｌ１，Ｌ２参照）ロッド９を用い、このロッド９を一つの昇降シリンダー１５によって昇降させるようにしてもよい。図７の場合、ロッド９を降ろすに従い、寸法Ｌ１の長いシャッター５ａの方が、先にストッパー６（図中、一番上のもの）に載置されて、最上のノズル４ａの第１位置へ移動され、寸法Ｌ２の短いシャッター５ｂが後からストッパー６（図中、上から二番目のもの）に載置される。
【００３７】
一般的な対流加熱式のノズルを具備した金属ストリップ用の熱風式熱処理炉において、厚板から薄板に連続的に処理する場合、厚板が所定の温度まで上昇できる温度と風速を維持した状態で薄板を通板すると、薄板は温度が上がり過ぎて製品の条件を外れてしまう。例えば、目的の処理が焼鈍であれば過焼鈍になってしまう。
【００３８】
これを防ぐためには、通常、ノズルからの加熱ガスの風速を下げて運転するが、それでも過昇温を起こす場合には、炉温を下げることになる。この降温に要する時間は、処理する条件にもよるが、最大で数時間に及び、その間に通過する金属ストリップは製品とすることはできず、無駄となる。降温する際には、通常、ダミー材を通板したり、炉温の循環ラインに冷却機能を追加したりして炉温を下げる工夫をするが、時間のロスとエネルギーのロスが発生する。
【００３９】
尚、一般的な降温速度は、耐火レンガを使用している炉では最大でも−１００℃／ｈ、レンガを使用しておらず、セラミックファイバーだけの炉だと、−１５０℃／ｈである。また、帯板を処理する温度は材質が違ったり、処理の種類が違ったりすると２００℃以上下げる必要がある場合がある。
【００４０】
そして、本帯状ワーク処理設備のシャッター機構１の発明者は、ノズル４と金属ストリップ２との間にシャッター５を設けたときの効果、すなわち、ノズル４からの熱風を直接吹き付けてしまうと過焼鈍となる金属ストリップ２を用いて、本発明の帯状ワーク処理設備のシャッター機構のシャッター５により金属ストリップ２とノズル４との間を遮ったときの、複数のノズル４を通過中の金属ストリップ２の表面温度を確認している。確認に用いた熱風式熱処理炉１は、上から下に走行する金属ストリップ２の走行方向に５段のノズルと、各ノズルと金属ストリップとの間を遮るシャッターとを有している。そして、低い温度での熱処理を必要とする金属ストリップが、高い温度での熱処理が施されて先行する金属ストリップとつながって進入してきた際に、その走行に合わせて５段のシャッターを一度にノズルの前となる第１位置に移動させている。
【００４１】
図５はその結果を示している。縦軸は金属ストリップの表面温度を示し、横軸は金属ストリップの移動距離を示していて、２ｍから１０ｍの範囲に５段のシャッターを設けている。ノズルから約１１ｍ下の位置では、５段のシャッターを下ろした場合には、降ろさなかった場合より金属ストリップの表面温度が約６０℃下がることが確認された。
【００４２】
本実施形態の帯状ワーク処理設備のシャッター機構によれば、熱風を吹き付ける複数のノズル４は金属ストリップ２の幅方向に沿って、金属ストリップ２の全幅に渡って設けられているので、走行する金属ストリップ２の全域に熱風を吹き付けて、金属ストリップ２の全域にほぼ均一な熱処理を施すとこが可能である。また、シャッター５は、移動装置７により、複数のノズル４と金属ストリップ２との間を遮る第１位置と複数のノズル４と金属ストリップ２との間を遮らない第２位置とに移動されるので、熱風を吹き付けて加熱したり、熱風を遮って加熱を抑えたりすることを容易に切り替えることが可能である。このとき、シャッター５は、走行方向に沿うロッド９とともに走行方向に移動されるので、瞬時に移動させることが可能である。このため、厚みが異なる金属ストリップ２が連続して走行されても素早くシャッター５の位置を変更することが可能である。
【００４３】
また、ノズル４は幅方向に沿うスリット状をなしているので、走行する金属ストリップ２においてスリット状のノズル４と対向する領域を確実に熱処理することが可能である。また、ノズル４は走行方向に間隔を隔てて複数設けられており、ノズル４毎に設けられたシャッター５を各々個別に移動することも可能なので、ノズル４毎にシャッター５を第１位置または第２位置に配置することにより、走行する金属ストリップ２への熱風の吹き付け量を変更することが可能である。
【００４４】
また、シャッター５とノズル４との間には空隙Ｓが設けられており、ノズル４はシャッター５により塞がれないので、ノズル４から吹き出される熱風は炉内に拡散される。このため、金属ストリップ２に熱風を吹き付けることなく炉内温度を維持することが可能である。また、シャッター５がノズル４と金属ストリップ２との間を遮る第１位置に移動してもノズル４からは熱風が吹き出されるので、熱風配管が全ノズル４で共通の場合であっても、ノズル４が塞がれたことで熱風が他のノズル４側に移動しない。このため、シャッター５がノズル４と金属ストリップ２との間を遮ったとしても他のノズル４の風圧への影響を抑えることが可能である。
【００４５】
また、シャッター５は、第２位置から降下したときにストッパー６により移動が規制されて第１位置に配置されるので、例えば、ロッド９が熱伸びした場合であっても、シャッターを同じ位置に配置することが可能である。このため、より確実に金属ストリップ２への熱風の吹き付けを遮ることが可能である。
【００４６】
また、シャッター５は、幅方向に分割された複数の板材１１を有し、その上で、熱延びを逃がせる逃げ代Ｃを有しているので、幅方向につながって１つの部材でなるシャッターよりも熱による湾曲や凹凸のような変形を小さくすることが可能である。また、シャッター５は、板材１１と凹部１４とを備えていて、その間の空間を空気断熱層として働かせることができる。板材１１と凹部１４はどちらがノズル４に向いていてもよいが、シャッター５を第１位置へ移動したときにノズル４からの熱風が直接当たる高温側に、熱延びを吸収できる板材１１を配置することが好ましい。そうすれば、凹部１４は空気断熱層で隔てられるので、変形しにくく、シャッター５全体として熱変形しにくい。これにより、金属ストリップ２の面と、シャッター５（板材１１）の面との平行度が保たれ、シャッター５の熱変形によって互いに接触したり、温度分布が悪くなったりすることを回避することができる。
【００４７】
上記実施形態においては、ノズル４がスリット状をなしている例について説明したが、例えば複数の丸孔状のノズルが列をなして、金属ストリップの幅方向に沿って設けられていても構わない。
【００４８】
金属ストリップ２の走行は、下から上でもよく、これに合わせて、第１位置と第２位置を入れ替えてもよい。また、加熱対象物は、金属ストリップ２以外であってもよい。
【００４９】
また、上下方向に間隔を隔てて設けられるノズル４の数は、上記実施形態に限るものではない。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  熱風式熱処理炉
１ａ  炉壁
２  金属ストリップ
２ａ  先行する金属ストリップ
２ｂ  後続する金属ストリップ
３  アイドルローラー
４  ノズル
４ａ  最上のノズル
４ｂ  ２番目のノズル
４ｃ  最下のノズル
５  シャッター
５ａ  最上のシャッター
５ｂ  ２番目のシャッター
５ｃ  最下のシャッター
６  ストッパー
７  移動装置
８  シャッター本体部
９  ロッド
１０  ロッド挿通部
１０ａ  平行部
１０ｂ  湾曲部
１１  板材
１２  枠体
１３  保持部
１４  凹部
１５  昇降シリンダー
１６  係合部
１７  断熱摺動シール
１８  連結板
１９  支柱
Ｃ  熱延びの逃げ代
Ｊ  境界部
Ｓ  空隙
【図１】
2018053296.tif 000003
【図２】
2018053296.tif 000004
【図３】
2018053296.tif 000005
【図４】
2018053296.tif 000006
【図５】
2018053296.tif 000007
【図６】
2018053296.tif 000008
【図７】
2018053296.tif 000009
【手続補正書】
【提出日】平成29年11月21日(2017.11.21)
【手続補正１】
【補正対象書類名】特許請求の範囲
【補正対象項目名】請求項１
【補正方法】変更
【補正の内容】
【請求項１】
走行する帯状ワークに気体を吹き付ける噴射口を備えたノズルと、
前記ノズルと前記帯状ワークとの間に、前記ノズルに対し空隙を空けて配置可能なシャッターと、
前記シャッターが前記ノズルと前記帯状ワークとの間を遮る第１位置及び前記シャッターが前記ノズルと前記帯状ワークとの間を遮らない第２位置に前記シャッターを移動させる移動装置とを有し、
前記移動装置は、前記シャッターと係合し、前記帯状ワークの走行方向に沿って設けられたロッドを前記走行方向に移動させることを特徴とする帯状ワーク処理設備のシャッター機構。
【手続補正２】
【補正対象書類名】特許請求の範囲
【補正対象項目名】請求項５
【補正方法】変更
【補正の内容】
【請求項５】
前記シャッターは、前記ノズルと対向する部位が、前記帯状ワークの幅方向において複数の部材に分割されていることを特徴とする請求項１〜４いずれかの項に記載の帯状ワーク処理設備のシャッター機構。
【手続補正３】
【補正対象書類名】明細書
【補正対象項目名】０００９
【補正方法】変更
【補正の内容】
【０００９】
本発明にかかる帯状ワーク処理設備のシャッター機構は、走行する帯状ワークに気体を吹き付ける噴射口を備えたノズルと、前記ノズルと前記帯状ワークとの間に、前記ノズルに対し空隙を空けて配置可能なシャッターと、前記シャッターが前記ノズルと前記帯状ワークとの間を遮る第１位置及び前記シャッターが前記ノズルと前記帯状ワークとの間を遮らない第２位置に前記シャッターを移動させる移動装置とを有し、前記移動装置は、前記シャッターと係合し、前記帯状ワークの走行方向に沿って設けられたロッドを前記走行方向に移動させることを特徴とする。
【手続補正４】
【補正対象書類名】明細書
【補正対象項目名】００１３
【補正方法】変更
【補正の内容】
【００１３】
前記シャッターは、前記ノズルと対向する部位が、前記帯状ワークの幅方向において複数の部材に分割されていることを特徴とする。